(57)【要約】【課題】フレキシブルプリント基板が接続されるコネクタのロック部材がロックされているか否かを容易かつ確実に確認することができる仕組みを提供する。【解決手段】電子機器は、回路基板２と、回路基板２に実装され、フレキシブルプリント基板１が接続されるコネクタ３と、コネクタ３に接続されたフレキシブルプリント基板１をロックするロック位置と前記ロックを解除するロック解除位置との間で移動可能にコネクタ３に支持されるロック部材１０と、を備える。回路基板２には、指標１２が設けられ、指標１２は、ロック部材１０がロック位置にあるときに、ロック部材１０により覆われて隠れ、ロック部材１０がロック解除位置にあるときに、露出する位置に配置される。【選択図】図１
2015018747.tif 000002
【特許請求の範囲】
【請求項１】
回路基板と、
前記回路基板に実装され、フレキシブルプリント基板が接続されるコネクタと、
前記コネクタに接続された前記フレキシブルプリント基板をロックするロック位置と前記ロックを解除するロック解除位置との間で移動可能に前記コネクタに支持されるロック部材と、を備え、
前記回路基板には、指標が設けられ、前記指標は、前記ロック部材が前記ロック位置にあるときに、前記ロック部材により覆われて隠れ、前記ロック部材が前記ロック解除位置にあるときに、露出する位置に配置されることを特徴とする電子機器。
【請求項２】
前記指標は、シルク印刷により形成されていることを特徴とする請求項１に記載の電子機器。
【請求項３】
前記指標は、前記回路基板の表面の絶縁層を開口させ、銅箔を露出させることにより形成されていることを特徴とする請求項１に記載の電子機器。
【請求項４】
前記ロック部材は、前記コネクタの前記フレキシブルプリント基板の挿入口の反対側に配置され、前記ロック解除位置では、前記コネクタに対して起立し、前記ロック位置では、前記コネクタから前記回路基板と略平行に突出して前記指標を覆うことを特徴とする請求項１乃至３のいずれか一項に記載の電子機器。
【発明の詳細な説明】
【技術分野】
【０００１】
本発明は、例えばデジタルカメラ等の電子機器に関し、特にフレキシブルプリント基板とコネクタとの接続構造の改良に関する。
【背景技術】
【０００２】
デジタルカメラ等の電子機器では、回路基板に実装されるコネクタにロック部材を有するものがある。この種のコネクタにフレキシブルプリント基板を接続する際には、コネクタのロック部材をロック解除位置まで回動操作してコネクタのロックを解除し、この状態でコネクタにフレキシブルプリント基板を挿入した後、ロック部材をロック位置まで回動操作する。これにより、フレキシブルプリント基板がコネクタに固定されて電気的に接続される（特許文献１）。
【先行技術文献】
【特許文献】
【０００３】
【特許文献１】特開２００２−２７０２９０号公報
【発明の概要】
【発明が解決しようとする課題】
【０００４】
ところで、近年の電子機器の多機能かつ小型化の要請に伴う回路基板における実装部品の高密度化により、コネクタの小型化が進み、コネクタのロック部材の視認性が悪くなっている。このため、機器の組立工程で、作業者が不注意でコネクタのロック部材をロックし忘れて気づかれないまま次の組立工程へ進んでしまう場合がある。この場合、フレキシブルプリント基板とコネクタとが電気的に接続されていないと、後工程で機器が動作しないため、ロック部材のロックのし忘れが発見される。
【０００５】
一方、コネクタの種類によっては、ロック部材がロックされていなくても、コネクタとフレキシブルプリント基板とが電気的に接続状態になるものも存在する。このようなコネクタでは、後工程でロック部材のロックし忘れが発見されず、コネクタとフレキシブルプリント基板との電気的接続が不安定な状態で組立の最終工程まで進んでしまう可能性がある。
【０００６】
そこで、本発明は、フレキシブルプリント基板が接続されるコネクタのロック部材がロックされているか否かを容易かつ確実に確認することができる仕組みを提供することを目的とする。
【課題を解決するための手段】
【０００７】
上記目的を達成するために、本発明の電子機器は、回路基板と、前記回路基板に実装され、フレキシブルプリント基板が接続されるコネクタと、前記コネクタに接続された前記フレキシブルプリント基板をロックするロック位置と前記ロックを解除するロック解除位置との間で移動可能に前記コネクタに支持されるロック部材と、を備え、前記回路基板には、指標が設けられ、前記指標は、前記ロック部材が前記ロック位置にあるときに、前記ロック部材により覆われて隠れ、前記ロック部材が前記ロック解除位置にあるときに、露出する位置に配置されることを特徴とする。
【発明の効果】
【０００８】
本発明によれば、フレキシブルプリント基板が接続されるコネクタのロック部材がロックされているか否かを容易かつ確実に確認することができる。
【図面の簡単な説明】
【０００９】
【図１】本発明の電子機器の実施形態の一例であるデジタルカメラにおけるコネクタとフレキシブルプリント基板との接続例を示す斜視図である。
【発明を実施するための形態】
【００１０】
以下、本発明の実施形態の一例を図面を参照して説明する。
【００１１】
図１（ａ）は、本発明の電子機器の実施形態の一例であるデジタルカメラにおいて、回路基板に実装されたコネクタにフレキシブルプリント基板を挿入する前の状態を示す斜視図である。図１（ｂ）は、コネクタにフレキシブルプリント基板を挿入した状態でコネクタのロック部材がロック解除位置にある状態を示す斜視図である。図１（ｃ）は、コネクタにフレキシブルプリント基板を挿入した状態でコネクタのロック部材がロック位置にある状態を示す斜視図である。
【００１２】
本実施形態のデジタルカメラは、図１に示すように、プリント基板からなる回路基板２にコネクタ３が実装されている。コネクタ３にフレキシブルプリント基板１を接続する際には、図１（ａ）及び図１（ｂ）に示すように、コネクタ３のロック部材１０をロック解除位置まで回動操作してコネクタ３のロックを解除し、この状態でコネクタ３にフレキシブルプリント基板１を挿入する。その後、図１（ｃ）に示すように、ロック部材１０をロック位置まで回動操作することで、フレキシブルプリント基板１がコネクタ３に固定されて電気的に接続される。
【００１３】
フレキシブルプリント基板１には、ベース４上に銅箔をエッチングして形成したパターン５が設けられている。パターン５には、絶縁のためのカバーフィルム６がフレキシブルプリント基板１の先端部のパターン５が露出するように貼り付けられている。露出したパターン５は、コネクタ３に接続するために千鳥配列形状とされ、その表面には、ニッケルメッキの下地に金メッキが施され、これにより、フレキシブルプリント基板１の先端部に端子部７が形成される。フレキシブルプリント基板１の端子部７の裏面には、補強板８が貼り付けられている。補強板８を貼り付けることにより、コネクタ３との接触部の厚みを確保して接続信頼性を高めている。
【００１４】
コネクタ３は、回路基板２にリフロー方式により実装され、ハウジング９、ロック部材１０、及びコンタクト１１を有する。ロック部材１０は、コネクタ３のフレキシブルプリント基板１の挿入口と反対側で、コネクタ３の幅方向（長手方向）に沿って配置されている。
【００１５】
ロック部材１０は、ハウジング９とハウジング９に圧入されたコンタクト１１に対して、図１（ａ）に示すロック解除位置と図１（ｃ）に示すロック位置との間で回動操作が可能に支持され、回動中心に不図示のカム形状部を有する。また、ロック部材１０は、図１（ａ）に示すロック解除位置ではハウジング９に対して起立し、図１（ｃ）に示すロック位置ではハウジング９から回路基板２と略平行に突出して後述する指標１２を覆う。
【００１６】
コンタクト１１は、コネクタ３に挿入されるフレキシブルプリント基板１の端子部７に接触する接点部（不図示）と、コネクタ３が回路基板２にリフロー実装される際に半田接続される実装部（不図示）とを有する。
【００１７】
コンタクト１１の接点部には、フレキシブルプリント基板１の端子部７との接触信頼性を確保するためにニッケルメッキの下地上に金メッキが施されている。コンタクト１１の接点部は、ロック部材１０が回動することにより、ロック部材１０のカム形状部とのカム作用により変位する。すなわち、ロック部材１０を図１（ｂ）に示すロック解除位置から図１（ｃ）に示すロック位置に回動操作することで、コンタクト１１の接点部がフレキシブルプリント基板１の端子部７に押しつけられるように変位して接触圧が保たれる。
【００１８】
回路基板２には、コネクタ３のフレキシブルプリント基板１の挿入口と反対側の端部近傍に白色のシルク印刷等により指標１２が設けられている。回路基板２の表面のレジストは、一般に緑色や青色であるため、白色は、レジスト色とのコントラストが大きく、視認性が良い。なお、指標１２の色は、十分な視認性が確保されていれば白色でなくてもよい。
【００１９】
指標１２は、ロック部材１０が図１（ｃ）に示すロック位置にあるときは、ロック部材１０により覆われて隠され、ロック部材１０が図１（ｂ）に示すロック解除位置にあるときは、露出する。これにより、組立工程で作業者がロック部材１０をロックし忘れた場合、図１（ｂ）に示すように、指標１２が露出するため、コネクタ３のロック部材１０がロックされていない事を容易かつ確実に確認することができる。この結果、コネクタ３とフレキシブルプリント基板１との電気的接続が不安定な状態で組立の最終工程まで進んでしまうのを回避することができる。
【００２０】
なお、本発明の構成は、上記実施形態に例示したものに限定されるものではなく、材質、形状、寸法、形態、数、配置箇所等は、本発明の要旨を逸脱しない範囲において適宜変更可能である。
【００２１】
例えば、上記実施形態では、シルク印刷によって回路基板２に指標１２を設けたが、回路基板２の表面の絶縁層であるレジストを開口させて、パターンの銅箔を露出させることで指標を設けるようにしてもよい。
【００２２】
また、上記実施形態では、コネクタ３に対してロック部材１０が回動可能に支持される場合を例示したが、これに限定されず、回動以外でロック位置とロック解除位置との間を移動可能なロック部材であってもよい。
【符号の説明】
【００２３】
１  フレキシブルプリント基板
２  回路基板
３  コネクタ
９  ハウジング
１０  ロック部材
１１  コンタクト
１２  指標
【図１】
2015018747.tif 000003